(57)【要約】【課題】それぞれの眼が赤末光をどのように感じるのかは、ほとんど解明されていない。それぞれがどのような感じ方をしているかを判定するとともに、赤外線の強弱を判定する簡単な方法の開発を課題とする。【解決手段】高濃度の無彩色透過板及び約６８０ｎｍ以上の赤末光を強く透過させそれ以下の可視光を強く吸収するような赤外透過板を交互に眼にあてがい、後者の透視で緑葉など赤末に特別な反射のあるものがどのような色に見えるか、眼の赤末光の感じ方を判定するとともに、布などの赤外線（熱線）の反射または透過の強弱を判別できるようにしたことを特徴とする赤末色覚特性及び赤外線弁別法。【選択図】　　図３
2004121786.tif 000002
【特許請求の範囲】
【請求項１】
高濃度の無彩色透過板及び約６８０ｎｍ以上の赤末光を強く透過させそれ以下の可視光を強く吸収するような赤外透過板を交互に眼にあてがって検査体を透視したとき、後者の透視で葉緑素に対する赤の感度の有無及びその感じ方によって眼の赤末光の感じ方を判定し、物体から反射または透過する赤外線（熱線）の強弱から赤外反射特性を判別可能にすることを特徴とする赤末色覚特性及び赤外線弁別法。
【発明の詳細な説明】
【０００１】
【発明の属する技術分野】
本発明は、眼が約６８０ｎｍ以上の赤末光に対して感じるかどうか、またどのように感じるか、また物体から反射または透過する赤外線（熱線）の強弱から赤外反射特性を判別可能にする方法に関わる。
【０００２】
【従来の技術】
従来は、眼が約６８０ｎｍ以上の赤末光に対して感応するかどうか、また赤外線反射の有無、また布などの熱線の吸収、透過の程度を判別できる簡単な方法がなかった。
【０００３】
【発明が解決しようとする課題】
そのためそれぞれの眼が、赤末光に対してどのように感じるかどうか、またその布が熱線を通すかどうかの弁別はほとんで不能の状態にあった。
したがって、幼児が赤信号を正常に感知できるかどうか、あるいはその日傘や衣服の熱線に対する反射（吸収、透過）の強弱、熱線防止効果、つまりそれを用いると涼しいかどうかといった比較も簡単におこなえなかった。
【０００４】
そこで本発明では、それぞれの眼が赤末光に対して感じるかどうか、また感じるならその方法においてどのような色に感じるかを判別する方法を開発することを目的とし、その目的を達成するために以下にのべる方法によって解決している。
【０００５】
【課題を解決する為の手段】
すなわち本発明では、高濃度の無彩色透過板及び約６８０ｎｍ以上の赤末光を強く透過させそれ以下の可視光を強く吸収するような赤外透過板を交互に眼にあてがって検査体を透視したとき、後者の透視で葉緑素に対する赤の感度の有無及びその感じ方によって眼の赤末光の感じ方を判定し、また物体から反射または透過する赤外線（熱線）の強弱、吸収の度合いを判別可能としている。
【０００６】
【実施例】
そこで本発明の透視装置では、図１に示す実施例のように、眼の位置３において、レバー４を上下させ、分光的に平坦な無彩色透過体Ａ及び該無彩色透過体３と濃度の等しい濃度約３．０（Ｙ約０．１５）の濃度をもつ約６８０ｎｍ以上の赤末光を強く透過させそれ以下の可視光を強く吸収する赤外透過体Ｂを左右の眼に交互にもたらして上記判定を可能にしている。なお、メガネとしては、通常メガネ上に重ねるよう、また左右に反転して差し替え可能な簡単な構成にすることができる。
図２はその透過体ＡとＢの分光透過率曲線を示す。このように、Ａ、Ｂ透過体はともに一見、高濃度のＮＤフィルターのような透過体であるが、大きな違いは６８０ｎｍ以上に大きな透過部があるかどうかであり、Ａにはそれがなく平坦である。
【０００７】
したがって、透視したときの状況は、分光的に平坦な無彩色透過体３では暗く見えるだけですべての色は通常見慣れた状態に見える。しかし、透過体Ｂは検査チャートに緑葉（葉緑素）など赤末に特別な反射のある色をもたらした場合は、その緑色（Ｇ−ＩＲ）、または黒（Ｋ−ＩＲ）の部分が赤く紅葉したかのように見えることになるので、検査によってその眼が約６８０ｎｍ以上の赤末光を感じるかどうかが瞬時に判別可能になる。
【０００８】
図３の１１は、三原色をはじめ各種の色チャートから構成されている本発明に用いられる検査用チャートの一実施例であり、このチャートの上段には青Ｂ、緑Ｇ、赤Ｒ、黄Ｙ、黒Ｋといった赤以外は赤末反射のない色票が、下段には赤末に強い反射のある緑ＩＲと黒ＩＲが配置されている。図の上下に示されたカーブは各色票の分光反射率曲線である。
【０００９】
なお、検査体としては、本物の緑葉植物と赤末反射のない造花のイミテーションを配置してもよい。
また、中庭や戸外風景を検査体とすることができ、室内ではこれら検査体を強い赤外線放射を有するタングステン電球、ハロゲンランプなどで照明し判定をおこなう。
【００１０】
【作用】
本発明になる透視装置（検査用メガネ）で検査体を眺めると、ＣＩＥの標準観測者と同様の色覚を有する眼の場合は、Ａ透過体では上段と下段は大差なく見えることになるが、Ｂ透過体４では、下段の赤末に強い反射のある緑ＩＲと黒ＩＲがいずれも赤く見えることになる。その理由は、緑葉（葉緑素）を典型とする赤末反射のある物質は、１４のように緑の反射率よりも赤末における反射率の方がはるかに高いので、図２の透過体Ｂでは緑葉の緑色光は透過せず、赤末光が強く透過して緑葉は赤く見えることになる。
また、赤末反射の強い黒い布なども同様な理由から透過体Ｂでは黒ではなく赤く見え、蛍光灯は青っぽく、電球は赤く見えるので判定用として光源を追加することができる。
【００１１】
本発明の検査装置は左右の眼に、ＡとＢを交互に交換して検査が可能になり、したがって、左右の眼のチャートの下段の感じ方によって、その眼が６８０ｎｍ以上の赤末光を感じるかどうかの判別が可能になる。
その際、透過体Ｂを透過体Ａと交換したときに、赤末反射のある緑や黒（Ｇ−ＩＲとＫ−ＩＲ）がどのような色に見えるかを判定するために、赤を中心にマゼンタと黄方向、また灰色方向に色を段階的に換えた色票群１６を配し、Ｂで透視したときに近似してみえる色を見いだし、その色度から、その感じ方を色度図上でその相違を判定可能になり、り、眼の赤の感じ方の有無だけでなく感じ方のパターンを知ることが可能になる。
【００１２】
なお、さきの実施例の赤外透過体Ｂ（ＲＷＣＲ−１１３−７）の分光透過率を示すと、
４００ｎｍ＝０．００、４６０ｎｍ＝０．０１、４７０ｎｍ＝０．１２、
４８０ｎｍ＝０．８２、４９０ｎｍ＝１．６５、５００ｎｍ＝１．１７、
５１０ｎｍ＝０．３６、５２０ｎｍ＝０．０８、５３０から６７０までは０．０２以下、
６８０ｎｍ＝０．０６、６９０ｎｍ＝０．４９、
７００ｎｍ＝１．６７、７１０ｎｍ＝４．５２、７２０ｎｍ＝１１．４５、
７３０ｎｍ＝２３．８５、７４０ｎｍ＝４０．６３、７５０ｎｍ＝５７．７１、
７７０ｎｍから８０％に達し、
そのＸ＝０．０４、Ｙ＝０．１２、Ｚ＝０．２２、ｘ＝０．０９５８、ｙ＝０．３１４８、Ｌ＝３．４１、ａ＝−４．１２、ｂ＝−１．４０である。
【００１３】
赤外透過体Ｂのクロロレッド赤外効果（葉緑素の赤く見える効果）は、デジカメによる撮影の場合と同様にカメラのＣＣＤと透過体の分光透過率しだいで多様、微妙に異なるので、、濃度約３．０〜２．５（Ｙ約０．１〜０．４）の範囲で微妙に異なる類似の分光濃度をもつ透過体を製作し、また既製のダイクロイックフィルターを選択するなどして、、用意されたそれら微妙に異なる透過体数種を差し替えて色覚特性を判定することにより、更に厳密なる色覚の解明をおこなうことが可能になる。
【００１４】
【発明の効果】
本発明では、約６８０ｎｍ以上の赤末光を感じるか否か、感じるならばどのような感じ方であるかという判定が簡単にでき、これまで判らなかった人の眼のとくに赤に対するこの方法における色覚の相違を明らかにすることができる。
【００１５】
また、この方法を風景で用いれば、左右で景色の見え方が大きく異なり、片や緑、片一方では真っ赤な景色となって見えるので、危険信号である赤や黄赤に対する早期に発見すべき幼児時期における赤感度の有無や程度の判定などをその驚きの素振り、反応から推測可能となり、これまで困難であった色覚判定に大きく役立たせることができる。
【００１６】
また、高学年における学校教育においては、このメガネにより、赤末反射のある葉緑素と通常の緑の絵の具やペンキの違い、緑の透過を抑えて赤末を強く透過させれば緑葉の緑が赤く視感できることなど理科の教材用として科学教育発展のために役立たせることができ、また、気分転換用あるいは玩具メガネとして人の眼を楽しませることができる。
【００１７】
また、この検査装置やメガネは赤外線の反射、透過の多少を判定する目的で使用することができ、たとえば、同じ緑葉でも赤外線の反射が異なるその性質を判定する植物の生態系、物質や材料研究などに役立てることができ、また日傘をはじめ、夏に涼しい布の選択などにそ熱線の吸収・反射の程度を判定する視覚判定装置としても使用することができる。
すなわち、赤く見える程度の強い布ほど、熱線反射が強いことを示すので、その内側は熱線の透過が少なく、涼しいことがわかる。したがって、本発明はその布が涼しいかどうかの物性検査用として活用可能になる。
【００１８】
【図面の簡単な説明】
【図１】本発明の透視装置の一実施例の説明図。
【図２】用いられる透過体Ａ、Ｂの分光透過率曲線。
【図３】検査用チャートの一実施例の説明図である。
【符号の説明】
１　検査装量の本体
２　支軸
３　眼球位置
４　レバー
５　透過体Ａ
６　透過体Ｂ
７　透過体Ａ
８　透過体Ｂ
９　透過体Ａの分光透過率曲線
１０　透過体Ｂの分光透過率曲線
１１　検査用チャート
１２　緑Ｇ色票の分光反射率曲線
１３　黒Ｋ色票の分光反射率曲線
１４　強い赤末反射を有する緑葉または同様の色材の分光反射率曲線
１５　同様な強い赤末反射を有する黒布等の分光反射率曲線
【図１】
2004121786.tif 000003
【図２】
2004121786.tif 000004
【図３】
2004121786.tif 000005